(57)【要約】【課題】構造が過度に複雑になるのを防止して、嵌合開始位置におけるレバーの保持力を高める。【解決手段】レバー８０は、第１ハウジング１０の側面を覆うように配置される側板８１を有し、側板８１が第１ハウジング１０に嵌合開始位置と嵌合完了位置との間を回動可能に支持される。側板８１には、仮係止部９２と、補助係止部９７とが設けられる。嵌合開始位置では、仮係止部９２及び補助係止部９７がそれぞれ第１ハウジング１０の仮係止受部２３及び補助係止受部２６に係止されている。第１、第２ハウジング１０、６０の嵌合開始時には、仮係止部９２が第２ハウジング６０の解除部６７によって押圧されて仮係止受部２３との係止を解除する方向に撓み変形させられ、それに伴い側板８１が拡開させられ、補助係止部９７が補助係止受部２６との係止を解除する方向に変位させられる。【選択図】図３
2015220075.tif 000002
【特許請求の範囲】
【請求項１】
解除部を有する第２ハウジングと、
前記第２ハウジングに嵌合可能とされ、仮係止受部と補助係止受部とを有する第１ハウジングと、
前記第１ハウジングの側面を覆うように配置される側板を有し、前記側板が前記第１ハウジングの側面に支持されて嵌合開始位置と嵌合完了位置とに回動可能とされ、前記嵌合開始位置にて前記側板が前記第２ハウジングと係合した状態で回動されることにより、前記第１、第２ハウジングの嵌合を進めることが可能なレバーとを備え、
前記側板には、
前記嵌合開始位置にて前記仮係止受部に係止され、前記第１、第２ハウジングの嵌合開始時には前記解除部によって押圧されて前記仮係止受部との係止を解除する方向に撓み変形させられる仮係止部と、
前記嵌合開始位置にて前記補助係止受部に係止されて、前記仮係止部とともに前記レバーの前記嵌合完了位置への回動を規制し、前記第１、第２ハウジングの嵌合開始時には前記仮係止部が撓み変形させられるのに伴い前記側板が拡開させられることで、前記補助係止受部との係止を解除する方向に変位させられ、前記レバーの前記嵌合完了位置への回動を許容する補助係止部と、が設けられていることを特徴とするレバー式コネクタ。
【請求項２】
前記補助係止受部は、前記レバーが前記嵌合完了位置に回動する方向で前記補助係止部と当接する第１規制受面と、前記レバーが前記嵌合完了位置から反対方向に回動する方向で前記補助係止部と当接する第２規制受面とを有していることを特徴とする請求項１記載のレバー式コネク。
【請求項３】
前記補助係止受部は、前記レバーが前記嵌合完了位置に回動する方向で前記補助係止部と当接する第１規制受面を有し、この第１規制受面は、前記側板が拡開する方向でも前記補助係止部と当接するように逆テーパ状に形成されていることを特徴とする請求項１又は２記載のレバー式コネクタ。
【請求項４】
前記側板は、前記嵌合開始位置から前記嵌合完了位置に至る過程で、拡開状態から元の自然状態に弾性的に復元されるようになっていることを特徴とする請求項１ないし３のいずれか１項記載のレバー式コネクタ。
【発明の詳細な説明】
【技術分野】
【０００１】
本発明は、レバー式コネクタに関する。
【背景技術】
【０００２】
特許文献１に記載のレバー式コネクタは、互いに嵌合可能な雌雄一対のハウジングと、レバーとを備えている。レバーは全体として門型をなし、操作部と、操作部の両端から互いに平行に突出する一対のカム板部とからなる。そして、レバーは、雌ハウジングを跨ぐように装着され、嵌合開始位置と嵌合完了位置との間を回動可能とされている。両カム板部には、仮係止片が設けられている。一方、雌ハウジングは、仮係止突部を有している。また、雄ハウジングは、解除突部を有している。
【０００３】
ここで、レバーの仮係止片が雌ハウジングの仮係止突部に弾性的に係止されることにより、レバーが嵌合開始位置に保持される。両ハウジングが浅く嵌合されると、雄ハウジングの解除突部が仮係止片と干渉して、仮係止片が仮係止突部との係止を解除する方向に撓み変形させられる。これにより、レバーが嵌合完了位置へ向けて回動可能な状態となる。その後、レバーが回動されると、レバーと雄ハウジングとの間にカム作用がはらたき、両ハウジングが低嵌合力で嵌合される。
【先行技術文献】
【特許文献】
【０００４】
【特許文献１】特開２００３−２２８７４号公報
【発明の概要】
【発明が解決しようとする課題】
【０００５】
上記従来のレバー式コネクタの場合、嵌合開始位置における仮係止片と仮係止突部との係止箇所が一枚のカム板部に一箇所のみであるため、例えば、外部異物が仮係止片に干渉したりすると、仮係止片と仮係止突部との係止が不用意に外れるおそれがあった。これに鑑み、仮係止片と仮係止突部との係止箇所を一枚のカム板部に複数設け、嵌合開始位置におけるレバーの保持力を高めた構造にすることも可能である。しかし、カム板部に設けた複数の仮係止片と対応するように、雄ハウジングにも解除突部を複数設けるとなると、全体の構造が複雑になり好ましくないという事情がある。
【０００６】
本発明は上記のような事情に基づいて完成されたものであって、構造が過度に複雑になるのを防止して、嵌合開始位置におけるレバーの保持力を高めることを目的とする。
【課題を解決するための手段】
【０００７】
本発明のレバー式コネクタは、解除部を有する第２ハウジングと、前記第２ハウジングに嵌合可能とされ、仮係止受部と補助係止受部とを有する第１ハウジングと、前記第１ハウジングの側面を覆うように配置される側板を有し、前記側板が前記第１ハウジングの側面に支持されて嵌合開始位置と嵌合完了位置とに回動可能とされ、前記嵌合開始位置にて前記側板が前記第２ハウジングと係合した状態で回動されることにより、前記第１、第２ハウジングの嵌合を進めることが可能なレバーとを備え、前記側板には、前記嵌合開始位置にて前記仮係止受部に係止され、前記第１、第２ハウジングの嵌合開始時には前記解除部によって押圧されて前記仮係止受部との係止を解除する方向に撓み変形させられる仮係止部と、前記嵌合開始位置にて前記補助係止受部に係止されて、前記仮係止部とともに前記レバーの前記嵌合完了位置への回動を規制し、前記第１、第２ハウジングの嵌合開始時には前記仮係止部が撓み変形させられるのに伴い前記側板が拡開させられることで、前記補助係止受部との係止を解除する方向に変位させられ、前記レバーの前記嵌合完了位置への回動を許容する補助係止部と、が設けられているところに特徴を有する。
【発明の効果】
【０００８】
レバーが嵌合開始位置にあるときには、レバーの仮係止部が第１ハウジングの仮係止受部に係止されるのに加え、レバーの補助係止部が第１ハウジングの補助係止受部に係止される。このため、嵌合開始位置におけるレバーの保持力が高められる。
また、第１、第２ハウジングの嵌合開始時には、仮係止部が解除部によって押圧されて仮係止受部との係止を解除する方向に撓み変形させられ、それに伴い側板が拡開させられることで、補助係止部が補助係止受部との係止を解除する方向に変位させられる。このため、レバーに補助係止部が設けられるという事情があっても、第２ハウジングに補助係止部と補助係止受部との係止を外すための専用の解除構造を設ける必要がなく、構造が過度に複雑になるのを防止することができる。
【図面の簡単な説明】
【０００９】
【図１】本発明の実施例のレバー式コネクタにおいて、レバーが嵌合開始位置にあるときに、第１、第２ハウジングが浅く嵌合された状態を示す側面図である。
【図２】レバーが嵌合開始位置にある状態を示す第１ハウジングの正面視方向の断面図である。
【図３】レバーが嵌合開始位置にあるときに、第１、第２ハウジングが浅く嵌合された状態を示す第１ハウジングの正面視方向の断面図である。
【図４】レバーが嵌合完了位置に至り、第１、第２ハウジングが正規嵌合された状態を示す第１ハウジングの正面図である。
【図５】第１ハウジングの側面視方向の断面図である。
【図６】レバーが嵌合完了位置にあるときの第１ハウジングの側面図である。
【図７】図６のＡ−Ａ線断面図である。
【図８】レバーの側面図である。
【図９】第１ハウジングの側面図である。
【発明を実施するための形態】
【００１０】
本発明の好ましい形態を以下に示す。
前記補助係止受部は、前記レバーが前記嵌合完了位置に回動する方向で前記補助係止部と当接する第１規制受面と、前記レバーが前記嵌合完了位置から反対方向に回動する方向で前記補助係止部と当接する第２規制受面とを有している。補助係止受部の第２規制受面によってレバーが嵌合完了位置から反対方向へ回動するのも抑えられる。とくに、第１規制受面と第２規制受面とが補助係止受部にまとめて設けられることになるため、構造の複雑化を招くことがない。
【００１１】
前記補助係止受部は、前記レバーが前記嵌合完了位置に回動する方向で前記補助係止部と当接する第１規制受面を有し、この第１規制受面は、前記側板が拡開する方向でも前記補助係止部と当接するように逆テーパ状に形成されている。側板が拡開する方向でも補助係止受部の第１規制受面が補助係止部と当接するため、側板が外部異物等との干渉によって拡開するのが防止される。その結果、レバーが不用意に嵌合完了位置へ回動するのがいっそう確実に防止される。
【００１２】
前記側板は、前記嵌合開始位置から前記嵌合完了位置に至る過程で、拡開状態から元の自然状態に弾性的に復元されるようになっている。嵌合完了位置では、側板が自然状態に復元されているため、側板が第１ハウジングから外れるのを防止することができる。
【００１３】
＜実施例＞
本発明の実施例を図１〜図９によって説明する。本実施例のレバー式コネクタは、互いに嵌合可能な第１、第２ハウジング１０、６０と、第１ハウジング１０に回動可能に装着されるレバー８０とを備えている。なお、以下の説明において、前後方向については、第１、第２ハウジング１０、６０が嵌合開始時に互いに対向する面側を前側とする。また、上下方向については、各図を基準とする。さらに、以下の説明において、幅方向とは、図２〜図４及び図７の左右方向と同義である。
【００１４】
第２ハウジング６０は合成樹脂製であって、詳細は図示しないが、図１及び図３に示すように、略角ブロック状のハウジング本体６１を有している。図３に示すように、ハウジング本体６１には、複数の第２キャビティ６２が前後に延出して設けられている。各第２キャビティ６２には、後方から雌端子金具６５（図５を参照）が挿入されて保持される。雌端子金具６５は、電線６３の端末部に接続されている。そして、雌端子金具６５は、前端部に筒状の箱部６４を有している。
【００１５】
図３に示すように、ハウジング本体６１の両側面（幅方向両端面）には、一対のカムフォロア６６が突出して設けられている。カムフォロア６６は、略円柱状をなしている。また、ハウジング本体６１の両側面には、一対の解除部６７が突出して設けられている。解除部６７は、小リブ状をなし、前後方向と交差する方向に沿った断面が略台形状に形成されている。
【００１６】
第１ハウジング１０は合成樹脂製であって、図５及び図９に示すように、略角ブロック状の端子収容部１１と、端子収容部１１の前端外周から前方へ突出する筒状のフード部１２とを有している。図５に示すように、端子収容部１１には、複数の第１キャビティ１３が前後に延出して設けられている。各第１キャビティ１３には、後方から雄端子金具１５が挿入されて保持される。雄端子金具１５は、電線１４の端末部に接続されている。雄端子金具１５の前端部には、前方へ突出するタブ部１６が設けられている。雄端子金具１５が第１キャビティ１３に正規挿入されると、タブ部１６がフード部１２内に突出して配置されるようになっている。また、第１、第２ハウジング１０、６０の正規嵌合時には、タブ部１６が第２ハウジング６０に装着された雌端子金具６５の箱部６４に挿入されて接続されるようになっている（図５を参照）。
【００１７】
図９に示すように、フード部１２の前端部には、上壁１９から両側壁２０（幅方向両側壁）の上端部にかけて、切欠部１７が前方に開放して設けられている。フード部１２の両側壁２０の外面には、一対の支軸１８が突出して設けられている。支軸１８は、略円柱状をなし、端子収容部１１寄りの位置に配置されている。また、フード部１２の両側壁２０には、一対の本係止受部２１が設けられている。本係止受部２１は、前後に延出してフード部１２の前縁に開口する溝状の形態とされている。この本係止受部２１は、支軸１８とほぼ同じ高さ位置に配置されている。図２、図４及び図７に示すように、本係止受部２１の上側の溝縁には、フード部１２の外面から内面側へ向けて上向きに傾斜する本係止受縁２２が設けられている。
【００１８】
また、図９に示すように、フード部１２の両側壁２０には、一対の仮係止受部２３が設けられている。仮係止受部２３は、前後に短く延出してフード部１２の前縁に開口する切欠状の形態とされている。この仮係止受部２３は、側面視矩形状をなし、本係止受部２１の下方で本係止受部２１と間隔をあけて並んで配置されている。図２及び図３に示すように、仮係止受部２３の上側の溝縁には、フード部１２の外面から内面側へ向けて上向きに傾斜する仮係止受縁２４が設けられている。また、仮係止受部２３の下側の溝縁には、フード部１２の外面から内面側へ向けて下向きに傾斜する対向縁２５が設けられている。
【００１９】
さらに、図２及び図３に示すように、フード部１２の両側壁２０には、一対の補助係止受部２６が突出して設けられている。補助係止受部２６は、角ブロック状をなし、実質的に撓み変形不能とされている。そして、図９に示すように、補助係止受部２６は、仮係止受部２３の下方で仮係止受部２３と間隔をあけて並んで配置されている。具体的には、補助係止受部２６は、フード部１２の前端下縁の一角近傍に配置されている。
【００２０】
図９に示すように、補助係止受部２６の上面（補助係止受部２６の突出端面と交差する４つの面のうち、レバー８０の後述する嵌合完了位置への回動方向で仮係止部と対向する面）は、前後方向に沿った第１規制受面２７として構成されている。また、図２及び図３に示すように、補助係止受部２６の第１規制受面２７は、基端から突出端にかけて上向きに傾斜する逆テーパ状の形態とされている。そして、図９に示すように、補助係止受部２６の後面は、第１規制受面２７と隣接し、且つ第１規制受面２７と略直交する高さ方向に沿った第２規制受面２８として構成されている。なお、補助係止受部２６の突出量（側壁２０の外面からの突出量）は、レバー８０の後述する側板８１の板厚よりも充分に小さくされている。
【００２１】
続いて、レバー８０について説明する。レバー８０は同じく合成樹脂製であって、図２〜図４に示すように、全体として門型をなし、一対の側板８１と、両側板８１間に架設された連結部８２とからなる。このレバー８０は、第１ハウジング１０に跨るように装着される。
【００２２】
連結部８２は、両側板８１に連なる幅方向両端から中央へ向けて次第に薄肉となるアーチ状の形態になっている。
両側板８１は、互いに平行に配置され、第１ハウジング１０の両側面を覆うように配置される。そして、図８に示すように、側板８１には、軸受孔８３が貫通して設けられている。かかるレバー８０は、図１及び図６に示すように、第１ハウジング１０の支軸１８が側板８１の軸受孔８３に嵌合支持された状態で、第１ハウジング１０に対し、支軸１８を中心として嵌合開始位置（図１〜図３を参照）と嵌合完了位置（図４、図６及び図７を参照）との間を回動可能とされている。嵌合開始位置では、図１に示すように、連結部８２が第１ハウジング１０の図示上後方に配置され、嵌合完了位置では、図６に示すように、連結部８２が第１ハウジング１０の図示上前方に配置される。このため、レバー８０は、嵌合開始位置から嵌合完了位置にかけて概ね１８０度近く回動させられる。
【００２３】
図２及び図３に示すように、側板８１の内面には、カム溝８４が設けられている。カム溝８４は、詳細は図示しないが、所定方向に延出して側板８１の外周縁に開口する形態になっている。第１、第２ハウジング１０、６０の嵌合過程で、第２ハウジング６０のカムフォロア６６が側板８１のカム溝８４の溝縁を摺動することにより、第１、第２ハウジング１０、６０の嵌合が低操作力で進行するようになっている。
【００２４】
また、図８に示すように、側板８１には、連結部８２と軸受孔８３との間に、略Ｕ字形の第１、第２切り込み８５、８６が入れられている。そして、側板８１には、第１、第２切り込み８５、８６内に、本係止部８７が設けられている。本実施例の場合、本係止部８７は、両側板８１のうちの一方の側板８１のみに設けられている。本係止部８７は、第１、第２切り込み８５、８６の相互の両端間に区画された一対の翼部８８を支点として撓み変形可能とされている。本係止部８７の両自由端部のうち、第１切り込み８５内にて嵌合開始位置で上方を向く端部には、本係止突起８９が設けられている。図７に示すように、本係止突起８９は、側板８１の内側（両側板８１の互いに対向する面間）に突出する形態とされている。レバー８０が嵌合完了位置に至ると、本係止部８７の撓み動作を伴った後、本係止突起８９が本係止受部２１の本係止受縁２２に掛け止められる。
【００２５】
図７に示すように、本係止突起８９は、嵌合完了位置にて本係止受部２１の本係止受縁２２の傾斜方向に沿って傾斜する逆テーパ状の本係止縁７９を有している。図１及び図８に示すように、本係止部８７の両自由端部のうち、第２切り込み８６内にて嵌合開始位置で下方を向く端部には、解除操作部９０が設けられている。解除操作部９０は、幅方向両側に張り出し、且つ外側（両側板８１の互いに対向する面とは反対側）に膨出する形態とされている。レバー８０が嵌合完了位置にあるときに、解除操作部９０を押圧すると、本係止部８７が撓み変形させられ、本係止突起８９と本係止受部２１との係止を外すことが可能となっている。
【００２６】
また、図１及び図８に示すように、側板８１には、軸受孔８３を挟んで本係止部８７と反対側の位置に、略Ｕ字形の第３切り込み９１が入れられている。そして、側板８１には、第３切り込み９１内に、仮係止部９２が設けられている。仮係止部９２は、側板８１における第３切り込み９１の両端間の基端部９３を支点として撓み変形可能とされている。図１に示すように、仮係止部９２の自由端部は、嵌合開始位置で下方を向いて配置されるようになっている。そして、図２及び図３に示すように、仮係止部９２の自由端部には、仮係止突起９４が設けられている。仮係止突起９４は、爪状をなし、側板８１の内側に突出する形態とされている。図２に示すように、レバー８０が嵌合開始位置に至ると、仮係止部９２の撓み動作を伴った後、仮係止突起９４が仮係止受部２３の仮係止受縁２４に掛け止められる。これにより、レバー８０が嵌合完了位置へ向けて回動するのが阻止されるようになっている。
【００２７】
図２及び図３に示すように、仮係止突起９４は、嵌合開始位置にて仮係止受部２３の仮係止受縁２４の傾斜方向に沿って傾斜する逆テーパ状の仮係止縁９５を有している。図８に示すように、仮係止部９２には、仮係止縁９５を外側に露出させるノッチ９６が切り込むように設けられている。
【００２８】
さらに、図１及び図８に示すように、側板８１には、軸受孔８３を挟んで連結部８２と反対側の端部に、補助係止部９７が設けられている。補助係止部９７は、側面視略Ｌ字形の切欠凹状をなし、図１に示すように、嵌合開始位置では下方に開放され、図６に示すように、嵌合完了位置では斜め上後方に開放されている。補助係止部９７自身は実質的に撓み変形不能とされている。具体的には、図１に示すように、補助係止部９７は、嵌合開始位置で下方を向く幅方向に沿った第１規制面９８と、嵌合開始位置で前方を向く上下方向に沿った第２規制面９９とによって区画されている。
【００２９】
図１に示すように、レバー８０が嵌合開始位置に至ると、補助係止部９７の第１規制面９８が補助係止受部２６の第１規制受面２７に対面してこの第１規制受面２７に沿って当接可能に配置される。図２に示すように、補助係止部９７の第１規制面９８は、嵌合開始位置にて補助係止受部２６の第１規制受面２７の傾斜方向に沿って傾斜する形態になっている。また、図１に示すように、レバー８０が嵌合開始位置に至ると、補助係止部９７の第２規制面９９が補助係止受部２６の第２規制受面２８に対面してこの第２規制受面２８に沿って当接可能に配置される。
【００３０】
以上が本実施例のレバー式コネクタの構造であり、続いて、レバー式コネクタの作用効果を説明する。
まず、レバー８０が第１ハウジング１０に組み付けられる。図２に示すように、レバー８０が嵌合開始位置に組み付けられると、レバー８０の仮係止部９２が第１ハウジング１０の仮係止受部２３に弾性的に係止される。このとき、仮係止部９２の仮係止受部２３の仮係止受縁２４が仮係止突起９４の仮係止縁９５に沿って当接することにより、レバー８０が嵌合完了位置へ向けて図１の時計回りに回動するのが規制される。
【００３１】
また、図２に示すように、仮係止受部２３の仮係止受縁２４が仮係止突起９４の仮係止縁９５に外側から当接可能に配置されることで、レバー８０の側板８１が第１ハウジング１０の側面から離間する方向へ拡開するのが抑えられる。さらに、仮係止受部２３の対向縁２５が仮係止受部２３の下縁（仮係止縁９５とは反対側の縁部）に沿って当接可能に配置される。
【００３２】
ところで、レバー８０が嵌合開始位置に組み付けられる過程では、レバー８０の側板８１が第１ハウジング１０の補助係止受部２６に乗り上げられ、側板８１が外側へ弾性的に拡開させられる。レバー８０が嵌合開始位置に組み付けられると、側板８１が弾性的に復帰し、図１及び図２に示すように、第１ハウジング１０の補助係止受部２６がレバー８０の補助係止部９７に嵌り込む。このとき、補助係止部９７の第１規制面９８が補助係止受部２６の第１規制受面２７に前後方向に沿って当接することで、レバー８０が図１の時計回りに回動するのが規制される。また、補助係止部９７の第２規制面９９が補助係止受部２６の第２規制受面２８に高さ方向に沿って当接することで、レバー８０が図１の反時計回りに回動するのも規制される。したがって、本実施例によれば、仮係止部９２と仮係止受部２３との係止作用に加え、補助係止部９７と補助係止受部２６との係止作用によって、レバー８０が嵌合完了位置及び嵌合完了位置とは反対方向へ向けて回動するのが確実に阻止される。この場合、例えば、図示しない外部異物がレバー８０の仮係止部９２に当接して仮係止部９２が損傷等しても、補助係止部９７と補助係止受部２６との係止が維持される限り、レバー８０が嵌合完了位置へ不用意に回動することはない。なお、図２に示すように、レバー８０が嵌合開始位置にあるとき、レバー８０のカム溝８４の入り口は、フード部１２の本係止受部２１と連通しつつ前方を向いて配置される。
【００３３】
続いて、第１ハウジング１０のフード部１２内に第２ハウジング６０のハウジング本体６１が浅く嵌合される。すると、第２ハウジング６０のカムフォロア６６が本係止受部２１を介してカム溝８４の入り口に進入する。また、図３に示すように、第２ハウジング６０の解除部６７が仮係止部９２の仮係止突起９４と干渉して、仮係止部９２が外側へ撓み変形させられる。これにより、仮係止部９２が仮係止受部２３から解離して仮係止受部２３との係止が外れる。そして、仮係止部９２が解除部６７に押圧されて外側へ撓み変形させられるのに伴い、側板８１も外側へ弾性的に拡開させられる。
【００３４】
ここで、側板８１の端部における拡開量は、補助係止受部２６の突出量と同じか、あるいは補助係止受部２６の突出量を少し超える程度とされている。このため、図３に示すように、側板８１が外側へ拡開させられると、側板８１の端部に設けられた補助係止部９７が補助係止受部２６を乗り越え可能となるまで変位する。よって、仮係止部９２と仮係止受部２３との係止が外れるのとほぼ同時に、補助係止部９７と補助係止受部２６との係止も自動的に外れる。かくして、レバー８０の嵌合完了位置への回動が許容される。
【００３５】
続いて、レバー８０が嵌合完了位置へ向けて図１の時計回りに回動される。レバー８０が回動されるに伴い、カムフォロア６６がカム溝８４の溝縁を摺動して、レバー８０と第２ハウジング６０との間にカム作用が発揮される。レバー８０が嵌合完了位置に至るまでの間に、仮係止部９２が解除部６７から解離し、側板８１が弾性的に復元して元の自然状態に戻る（図４を参照）。そして、第１、第２ハウジング１０、６０が嵌合完了位置に達すると、図７に示すように、本係止部８７が本係止受部２１に弾性的に係止される。このとき、本係止受部２１の本係止受縁２２が本係止突起８９の本係止縁７９に沿って当接することで、レバー８０が嵌合開始位置へ戻る方向に回動するのが規制される。
【００３６】
以上説明したように、本実施例によれば、図２に示すように、レバー８０が嵌合開始位置にあるときに、レバー８０の仮係止部９２が第１ハウジング１０の仮係止受部２３に係止されるのに加え、レバー８０の補助係止部９７が第１ハウジング１０の補助係止受部２６に係止される。このため、嵌合開始位置におけるレバー８０の保持力が高められる。また、第１、第２ハウジング１０、６０の嵌合開始時には、図３に示すように、仮係止部９２が解除部６７によって押圧されて仮係止受部２３との係止を解除する方向となる外側へ撓み変形させられ、それに伴い側板８１が拡開させられることで、補助係止部９７が補助係止受部２６との係止を解除する方向に変位させられる。このため、レバー８０に補助係止部９７が設けられるという事情があっても、第２ハウジング６０に補助係止部９７と補助係止受部２６との係止を外すための専用の解除構造を設ける必要がなく、構造が過度に複雑になるのを防止することができる。
【００３７】
また、レバー８０の嵌合完了位置への回動を規制する第１規制受面２７と、レバー８０の嵌合完了位置とは反対方向への回動を規制する第２規制受面２８とが、補助係止受部２６にまとめて設けられているため、構造の複雑化を招くことがない。
【００３８】
さらに、補助係止受部２６の第１規制受面２７が側板８１の拡開方向でも補助係止部９７と当接するように逆テーパ状に形成されているため、側板８１が外部異物等との干渉によって拡開するのが防止される。その結果、レバー８０が不用意に嵌合完了位置へ回動するのがいっそう確実に防止される。
【００３９】
さらにまた、レバー８０が嵌合完了位置に至るまでの間に、側板８１が自然状態に復元されるため、側板８１が第１ハウジング１０から外れるのをより確実に防止することができる。
【００４０】
＜他の実施例＞
以下、他の実施例を説明する。
（１）両側板のうちのいずれか一方の側板のみに仮係止部が設けられる構成であってもよい。同様に、両側板のうちのいずれか一方の側板のみに補助係止部が設けられる構成であってもよい。
（２）レバーは、一枚の側板のみからなる構成であってもよい。
（３）レバーが装着される第１ハウジングは、雌端子金具が装着される雌型のコネクタハウジングであってもよい。
（４）補助係止部と補助係止受部のいずれか一方は、撓み変形可能な形態であってもよい。
（５）上述した本実施例とは逆に、補助係止部が凸状に形成され、補助係止受部が凹状に形成されるものであってもよい。
【符号の説明】
【００４１】
１０…第１ハウジング
１１…フード部
２３…仮係止受部
２６…補助係止受部
２７…第１規制受面
２８…第２規制受面
６０…第２ハウジング
６７…解除部
８０…レバー
８１…側板
９２…仮係止部
９７…補助係止部
９８…第１規制面
９９…第２規制面
【図１】
2015220075.tif 000003
【図２】
2015220075.tif 000004
【図３】
2015220075.tif 000005
【図４】
2015220075.tif 000006
【図５】
2015220075.tif 000007
【図６】
2015220075.tif 000008
【図７】
2015220075.tif 000009
【図８】
2015220075.tif 000010
【図９】
2015220075.tif 000011